【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出することと、
前記干渉するメッセージのヘッダ部分を復号することと、
前記復号されたヘッダ部分に少なくとも部分的に基づいて、前記第２のワイヤレスノードが前記第１の事業者に関連すると決定することと、
前記決定することに少なくとも部分的に基づいて、サブフレーム中に前記チャネル上で第１のメッセージを送信すること、前記第１のメッセージは、前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を備える、方法。
【請求項２】
前記第１のメッセージは、前記第１の事業者とは異なる第２の事業者に関連する第３のワイヤレスノードによって送信された第３のメッセージと同期されず、前記チャネルは、同期ロングタームエボリューション制御Ｗｉ−Ｆｉ（ＬＴＥ−ＣＷ）通信に関連する、
請求項１に記載の方法。
【請求項３】
ワイヤレスワイドエリアネットワーク（ＷＷＡＮ）通信チャネルを介して、無線フレーム構成情報を前記第２のワイヤレスノードと交換することをさらに備え、前記無線フレーム構成情報は、前記第１のメッセージと前記第２のメッセージとを時間アラインするために使用されるタイミング同期フィールドを備え、
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
請求項１に記載の方法。
【請求項４】
変調スキームに従って、前記サブフレーム中に送信される前記第１のメッセージを変調することをさらに備える、
請求項１に記載の方法。
【請求項５】
前記第１のメッセージの前記ヘッダ部分は、前記第２のメッセージの前記ヘッダ部分と同じ情報を備え、
前記第１のメッセージの前記データ部分は、前記第２のメッセージの前記データ部分とは異なる情報を備える、
請求項１に記載の方法。
【請求項６】
前記チャネルが複数のサブバンドを備え、前記第１のメッセージと前記第２のメッセージとが、前記複数のサブバンドの各サブバンドにわたって同期される、
請求項１に記載の方法。
【請求項７】
前記第１のメッセージおよび前記第２のメッセージの前記ヘッダ部分は、Ｗｉ−Ｆｉプリアンブルを備え、前記Ｗｉ−Ｆｉプリアンブルは、Ｗｉ−Ｆｉ固有情報とワイヤレスワイドエリアネットワーク（ＷＷＡＮ）固有情報とを備え、  前記Ｗｉ−Ｆｉ固有情報は、前記第１のワイヤレスノード、前記第２のワイヤレスノード、およびＷｉ−Ｆｉ構成されたワイヤレスノードによって復号可能であり、
前記ＷＷＡＮ固有情報は、Ｗｉ−Ｆｉ構成されたワイヤレスノードによって復号不可能である、
請求項１に記載の方法。
【請求項８】
前記ＣＣＡプロシージャに続いて複数のサブフレーム中に前記チャネルを介して追加のメッセージを送信することをさらに備え、各追加のメッセージは、前記ヘッダ部分およびそれぞれのデータ部分を備え、前記ヘッダ部分は、各サブフレーム中で同じである、
請求項１に記載の方法。
【請求項９】
Ｗｉ−Ｆｉ構成されたプロトコルを使用して、無認可無線周波数スペクトル帯域上でパイロットトーンを送信することと、
ワイヤレスワイドエリアネットワーク（ＷＷＡＮ）を介して、前記第１の事業者に関連するワイヤレスノードからチャネル状態報告を受信することと
をさらに備える、請求項１に記載の方法。
【請求項１０】
前記パイロットトーンは、前記第１のメッセージの前記ヘッダ部分の後に送信され、前記第１のメッセージの前記データ部分に先行する、
請求項１５に記載の方法。
【請求項１１】
第２のＣＣＡプロシージャ中に第２の干渉するメッセージを検出することと、
前記第２の干渉するメッセージのヘッダ部分の復号の際、失敗を識別することと、
前記識別された失敗に少なくとも部分的に基づいて、第２のサブフレーム中に第３のメッセージを送信することを控えること、前記控えることは、さらに、前記第２の干渉するメッセージに関連するエネルギーレベルがしきい値レベルを下回ることに少なくとも部分的に基づく、と
をさらに備える、請求項１に記載の方法。
【請求項１２】
第２のＣＣＡプロシージャ中に第３のワイヤレスノードから送信された第２の干渉するメッセージを検出することと、
前記第３のワイヤレスノードが前記第１の事業者に関連しないと決定することと、
前記第３のワイヤレスノードが前記第１の事業者に関連しないと決定することに少なくとも部分的に基づいて、第２のサブフレーム中に第３のメッセージを送信することを控えることと
をさらに備える、請求項１に記載の方法。
【請求項１３】
前記第１のメッセージおよび前記第２のメッセージの前記ヘッダ部分は、パブリックランドモバイルネットワーク（ＰＬＭＮ）事業者に関連する事業者識別子フィールドを備える、
請求項１に記載の方法。
【請求項１４】
ワイヤレス通信のための装置であって、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出するための手段と、
前記干渉するメッセージのヘッダ部分を復号するための手段と、
前記復号されたヘッダ部分に少なくとも部分的に基づいて、前記第２のワイヤレスノードが前記第１の事業者に関連すると決定するための手段と、
前記決定することに少なくとも部分的に基づいて、サブフレーム中に前記チャネル上で第１のメッセージを送信するための手段、前記第１のメッセージは、前前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を備える、装置。
【請求項１５】
ワイヤレス通信のためのコンピュータ実行可能コードを記憶する非一時的コンピュータ可読媒体であって、前記コードは、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出することと、
前記干渉するメッセージのヘッダ部分を復号することと、
前記復号されたヘッダ部分に少なくとも部分的に基づいて、前記第２のワイヤレスノードが前記第１の事業者に関連すると決定することと、
前記決定することに少なくとも部分的に基づいて、サブフレーム中に前記チャネル上で第１のメッセージを送信すること、前記第１のメッセージは、前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を行うためにプロセッサによって実行可能である、非一時的コンピュータ可読媒体。